(57)【特許請求の範囲】
【請求項１】
注出口が形成されたキャップ本体と、
前記注出口を開閉する蓋体と、
前記蓋体を前記キャップ本体に回動可能に連結する第１ヒンジ体を有するヒンジ部と、を備えたヒンジキャップにおいて、
キャップ軸回りの周方向において、前記ヒンジ部の中心に向かう方向を内側とし、前記ヒンジ部の中心から離間する方向を外側とすると、
前記第１ヒンジ体は、
前記キャップ本体側に配設された本体側基部と、
前記蓋体側に配設された蓋体側基部と、
前記本体側基部及び前記蓋体側基部間を連結するとともに、折曲変形可能な接続部と、を有し、
前記本体側基部及び前記蓋体側基部のうち、一方の基部における周方向の外側端縁は、キャップ軸方向に直交する径方向の外側に向かうに従い前記一方の基部における周方向の幅が縮小するように周方向の外側から内側に延設され、
前記本体側基部及び前記蓋体側基部のうち、他方の基部は、径方向に沿って延設され、
前記一方の基部は、周方向の幅が前記他方の基部よりも広くなっているとともに、前記蓋体が前記注出口を閉塞した状態で前記他方の基部をキャップ軸方向で覆い、
前記接続部は、前記本体側基部及び前記蓋体側基部よりも薄肉に形成され、
前記接続部における周方向の外側端縁は、前記一方の基部における周方向の外側端縁に滑らかに連なっていることを特徴とするヒンジキャップ。
【請求項２】
前記一方の基部における周方向の外側端縁は、周方向の外側に向けて突の円弧状を呈していることを特徴とする請求項１記載のヒンジキャップ。
【請求項３】
前記第１ヒンジ体は、周方向に間隔をあけて一対配設され、
一対の前記第１ヒンジ体間には、前記蓋体及び前記キャップ本体間を連結する弾性変形可能な第２ヒンジ体が配設されていることを特徴とする請求項１または請求項２に記載のヒンジキャップ。
【請求項４】
前記一方の基部は、前記蓋体側基部であり、
前記他方の基部は、前記本体側基部であることを特徴とする請求項１から請求項３の何れか１項に記載のヒンジキャップ。
【発明の詳細な説明】
【技術分野】
【０００１】
本発明は、ヒンジキャップに関する。
【背景技術】
【０００２】
従来から、注出口が形成されたキャップ本体と、注出口を開閉する蓋体と、蓋体をキャップ本体に回動可能に連結するヒンジ体と、を備えたヒンジキャップが知られている。例えば下記特許文献１に示されるように、ヒンジ体は、キャップ本体側に配設された本体側基部と、蓋体側に配設された蓋体側基部と、本体側基部及び蓋体側基部間を連結するとともに、弾性変形可能な接続部と、を有している。
このような構成において、開閉操作時には、ヒンジ体の接続部が起点となって蓋体がキャップ本体に対して回動する。
【０００３】
ところで、上述したヒンジキャップでは、閉位置において、各基部がキャップ軸方向で重なり合うとともに、各基部がキャップ本体及び蓋体に対して径方向の外側に向けて突出している。この場合、ヒンジ体（基部）における周方向の外側に位置する角部が鋭利であると、例えば流通段階では角部によって製品に傷が付いたり、使用段階では角部に指が引っ掛かったりする等のおそれがあった。
【０００４】
そこで、特許文献１には、各基部における周方向の外側端縁を、周方向の外側に向けて突の円弧状とし、閉位置においてヒンジ体に形成される角部が鋭利になるのを抑制する構成が開示されている。
【先行技術文献】
【特許文献】
【０００５】
【特許文献１】実開昭６４−２３４７４号公報
【発明の概要】
【発明が解決しようとする課題】
【０００６】
しかしながら、特許文献１の構成にあっては、ヒンジ体の折り曲げ位置の位置ずれ等により、未だ角部が鋭利になる場合があり、流通段階や使用段階での上述した不具合を解消させる点で改善の余地がある。
また、特許文献１の構成のように、各基部における周方向の外側端縁を円弧状に形成すると、ヒンジ体において各基部から接続部に向かうに従い周方向の幅が漸次縮小する。この場合、ヒンジキャップを成形する金型のうち、各基部間を成形する部分の幅を確保できなくなり、金型の強度が低下するおそれがある。
【０００７】
そこで、本発明は、上述した事情に鑑みてなされたものであって、その目的は、金型の強度を確保した上で、閉位置において、ヒンジ体に形成される角部を緩やかにすることができるヒンジキャップを提供することである。
【課題を解決するための手段】
【０００８】
上記課題を解決するために、本発明は以下の手段を提案している。
本発明に係るヒンジキャップは、注出口が形成されたキャップ本体と、前記注出口を開閉する蓋体と、前記蓋体を前記キャップ本体に回動可能に連結する第１ヒンジ体を有するヒンジ部と、を備えたヒンジキャップにおいて、キャップ軸回りの周方向において、前記ヒンジ部の中心に向かう方向を内側とし、前記ヒンジ部の中心から離間する方向を外側とすると、前記第１ヒンジ体は、前記キャップ本体側に配設された本体側基部と、前記蓋体側に配設された蓋体側基部と、前記本体側基部及び前記蓋体側基部間を連結するとともに、折曲変形可能な接続部と、を有し、前記本体側基部及び前記蓋体側基部のうち、一方の基部における周方向の外側端縁は、キャップ軸方向に直交する径方向の外側に向かうに従い前記一方の基部における周方向の幅が縮小するように周方向の外側から内側に延設され、前記本体側基部及び前記蓋体側基部のうち、他方の基部は、径方向に沿って延設され、前記一方の基部は、周方向の幅が前記他方の基部よりも広くなっているとともに、前記蓋体が前記注出口を閉塞した状態で前記他方の基部をキャップ軸方向で覆い、前記接続部は、前記本体側基部及び前記蓋体側基部よりも薄肉に形成され、前記接続部における周方向の外側端縁は、前記一方の基部における周方向の外側端縁に滑らかに連なっていることを特徴とする。
【０００９】
このような特徴により、蓋体が注出口を閉塞した状態（閉位置）において、第１ヒンジ体は、接続部が折り曲げられた状態で、各基部がキャップ軸方向で重なり合う。このとき、第１ヒンジ体の一方の基部が周方向の外側から内側に向かうに従い径方向の外側に向けて延設されているため、閉位置において、第１ヒンジ体の径方向における外側端に形成される角部を緩やかにすることができる。
特に、一方の基部は、周方向の幅が他方の基部よりも広く、かつ閉位置において他方の基部をキャップ軸方向で覆っているため、閉位置において他方の基部が一方の基部に対して周方向に突出しないようになっている。そのため、仮に第１ヒンジ体の折り曲げ位置が位置ずれした場合であっても、第１ヒンジ体の径方向における外側端部に形成される角部が鋭利になるのを抑制できる。その結果、流通段階において製品が傷付いたり、使用段階において指等が引っ掛かったりするのを抑制できる。
また、各基部のうち、一方の基部が周方向の外側から内側に向かうに従い径方向の外側に向けて延設され、他方の基部が径方向に沿って延設されているため、ヒンジキャップを成形する金型のうち、各基部間を成形する部分を鋭利に尖らせずにその幅を確保することができる。その結果、金型の強度を確保できる。
【００１０】
また、仮に第１ヒンジ体の折り曲げ位置が接続部の範囲内で位置ずれした場合であっても、閉位置において第１ヒンジ体の径方向における外側端部に形成される角部が鋭利になるのを抑制できる。
【００１１】
また、本発明に係るヒンジキャップでは、前記一方の基部における周方向の外側端縁は、周方向の外側に向けて突の円弧状を呈していてもよい。
この構成によれば、一方の基部における周方向の外側端縁が、周方向の外側に向けて突の円弧状を呈しているので、閉位置において第１ヒンジ体の径方向における外側端部に形成される角部をより緩やかにすることができる。
【００１２】
また、本発明に係るヒンジキャップでは、前記第１ヒンジ体は、周方向に間隔をあけて一対配設され、一対の前記第１ヒンジ体間には、前記蓋体及び前記キャップ本体間を連結する第２ヒンジ体が配設されていてもよい。
この構成によれば、周方向に間隔をあけて配設された一対の第１ヒンジ体間に第２ヒンジ体が配設されているため、操作性を向上させることができる。また、第１ヒンジ体及び第２ヒンジ体を設けることで、ヒンジ体全体の周方向における幅が拡大し、この幅の拡大に伴いヒンジ体の径方向における外側への突出量が増加するものの、本発明の構成を採用することで、閉位置において第１ヒンジ体の後端部に形成される角部を確実に緩やかにすることができる。
【００１３】
また、本発明に係るヒンジキャップにおいて、前記一方の基部は、前記蓋体側基部であり、前記他方の基部は、前記本体側基部であってもよい。
この構成によれば、閉位置において、一方の基部が他方の基部を上方（蓋体側）から覆うことになるので、折り返しの段部（一方の基部の下面と他方の基部における周方向の外側端縁との間で画成される部分）が目立たず、見映えを向上させることができる。また、段部での引っ掛かりや、段部内への塵埃や汚れ等の進入も抑制できる。
【発明の効果】
【００１４】
本発明に係るヒンジキャップによれば、金型の強度を確保した上で、閉位置において、ヒンジ体に角部が形成されるのを抑制できる。
【図面の簡単な説明】
【００１５】
【図１】開位置のヒンジキャップを上方から見た平面図である。
【図２】閉位置のヒンジキャップを上方から見た平面図である。
【図３】閉位置のヒンジキャップを下方から見た底面図である。
【図４】図１のＩＶ部拡大図である。
【図５】図２のＶ部拡大図である。
【発明を実施するための形態】
【００１６】
以下、図面を参照し、本発明の実施形態に係るヒンジキャップを説明する。
図１〜図３に示すように、本実施形態のヒンジキャップ１は、内容物が収容される図示しない容器本体の口部に着脱可能に装着される有頂筒状のキャップ本体２と、キャップ本体２の注出口３を開閉する有頂筒状の蓋体４と、蓋体４をキャップ本体２に回動可能に連結するヒンジ部５と、を備えている。
【００１７】
なお、本実施形態において、キャップ本体２及び蓋体４それぞれの中心軸線は、共通軸上に位置している。以下、この共通軸をキャップ軸Ｏといい、このキャップ軸Ｏ方向に沿うキャップ本体２側を下側、蓋体４側を上側という。また、キャップ軸Ｏ方向から見た平面視でキャップ軸Ｏに直交する方向を径方向といい、キャップ軸Ｏ回りに沿う方向を周方向という。また、以下の説明では、図２に示す閉位置（蓋体４が注出口３を閉塞した状態）の平面視において、キャップ軸Ｏを挟んでヒンジ部５側を後側、ヒンジ部５側とは反対側（操作片２４側）を前側という場合がある。
【００１８】
図１に示すように、キャップ本体２は、容器本体の口部に装着される装着筒１１と、装着筒１１の上端縁から径方向の内側に向けて突設された環状の頂壁部１２と、を備えている。
装着筒１１と頂壁部１２との境界部分には、頂壁部１２に対して一段下がった段差部１３が全周に亘って形成されている。段差部１３は、上方及び径方向の外側に向けて開口している。
頂壁部１２の内周縁には、容器本体内に連通する注出筒１５が、上方に向けて突設されている。注出筒１５は、キャップ軸Ｏと同軸上に配置され、その上端開口部が容器本体内の内容物を注出する注出口３を構成している。
【００１９】
蓋体４は、筒状の周壁部２１と、周壁部２１の上端開口部を閉塞する天壁部２２と、を備えている。
周壁部２１は、キャップ軸Ｏと同軸上に配置され、閉位置において下端部が上述した段差部１３内に収容される。なお、周壁部２１の下端部には、前方に向けて突出する操作片２４が形成されている。
【００２０】
天壁部２２における径方向の中央部には、下方に向けて突設される内筒３１及び外筒３２が形成されている。内筒３１は、閉位置において上述した注出筒１５内に嵌合する。外筒３２は、内筒３１を囲繞するとともに、閉位置において注出筒１５を径方向の外側から囲繞する。
【００２１】
ヒンジ部５は、ヒンジキャップ１の後部に位置し、キャップ本体２及び蓋体４間を連結している。具体的に、ヒンジ部５は、周方向に間隔をあけて配設された一対の第１ヒンジ体４１と、第１ヒンジ体４１間に配設された第２ヒンジ体４２と、を備えた、いわゆる三点ヒンジである。
【００２２】
まず、第２ヒンジ体４２は、開位置及び閉位置の中間位置から離間する方向に向けてヒンジ部５回りに蓋体４を付勢する付勢片４３を備えている。付勢片４３は、周方向から見た側面視でＬ字状を呈し、キャップ本体２の装着筒１１及び蓋体４の天壁部２２を後方から跨いでいる。具体的に、付勢片４３は、その上側部分が蓋体４の周壁部２１及び天壁部２２に亘って形成された切欠き部４４内に収容されている。図示の例において、付勢片４３の上面は、蓋体４の天壁部２２の上面と面一になっている。付勢片４３の上側部分は、その前端縁が付勢片４３に対して薄肉とされた接続部４５を介して切欠き部４４の前端縁に連結されている。
付勢片４３の下側部分は、その下端縁が付勢片４３に対して薄肉とされた接続部４６を介してキャップ本体２の装着筒１１に連結されている。
【００２３】
図４、図５に示すように、各第１ヒンジ体４１は、キャップ本体２側に配設された本体側基部（他方の基部）５１と、蓋体４側に配設された蓋体側基部（一方の基部）５２と、本体側基部５１及び蓋体側基部５２間を連結するとともに、折曲変形可能な接続部５３と、を有している。なお、各第１ヒンジ体４１は、キャップ軸Ｏ方向から見た平面視において、前後方向に直交する左右方向で対称な形状をなしている。したがって、以下の説明では一方の第１ヒンジ体４１について説明し、他方の第１ヒンジ体４１の説明は省略する。
【００２４】
本体側基部５１は、キャップ本体２における装着筒１１の上端縁（段差部１３との境界部分）から後方に向けて突設されている。本体側基部５１は、周方向の外側から内側に向かうに従い径方向の長さが漸次縮小している。具体的に、本体側基部５１のうち、前端縁は装着筒１１の外周面に倣って延びる円弧状とされ、後端縁は上述した左右方向に延びる直線状とされている。また、本体側基部５１における周方向の両端縁は、前後方向に沿って延びる直線状とされている。
【００２５】
蓋体側基部５２は、蓋体４における周壁部２１の下端縁から後方に向けて突設されている。蓋体側基部５２は、周方向における幅が本体側基部５１よりも広くなっており、本体側基部５１の全体を上方から覆っている。したがって、本体側基部５１は、蓋体側基部５２に対して周方向に突出しないようになっている。なお、図示の例において、蓋体側基部５２は、周方向の内側端縁が本体側基部５１における周方向の内側端縁と面一とされ、周方向の外側端縁が本体側基部５１における周方向の外側端縁に対して周方向の外側に向けて突出している。
【００２６】
蓋体側基部５２は、周方向の外側から内側に向かうに従い径方向の長さが漸次縮小している。具体的に、蓋体側基部５２のうち、前端縁は周壁部の外周面に倣って延びる円弧状とされ、後端縁は前後方向に直交する方向に延びる直線状とされている。
【００２７】
ここで、蓋体側基部５２の後端部において、周方向の外側に位置する角部には、周方向の外側から内側に向かうに従い後方に向けて延びる面取り部５５が形成されている。この面取り部５５は、周方向の外側に向けて突の円弧状とされ、蓋体側基部５２のうち周方向の外側端縁から後端縁に至る範囲に形成されている。なお、図示の例において、面取り部５５の曲離半径は、蓋体４の曲率半径よりも小さくなっている。また、図示の例において、蓋体側基部５２のうち、周方向の外側端縁における前端部は、前後方向に沿って延びる直線状とされている。但し、蓋体側基部５２における周方向の外側端縁全体に面取り部５５を形成しても構わない。
【００２８】
図４に示すように、接続部５３は、上述した各基部５１，５２よりも薄肉とされ、各基部５１，５２の後端縁同士を連結している。接続部５３は、周方向における内側端縁が、上述した各基部５１，５２の内側端縁と面一に配置されている。一方、接続部５３の周方向における外側端縁は、蓋体側基部５２から本体側基部５１に向かうに従い周方向の外側から内側に向けて延設され、上述した面取り部５５と滑らかに連なっている。
【００２９】
このように構成されたヒンジキャップ１では、図１に示すように、開閉操作の際、ヒンジ部５が各ヒンジ体４１，４２の接続部４５，４６，５３を起点に変形することで、蓋体４がキャップ本体２に対してヒンジ部５回りに回動する。このとき、第２ヒンジ体４２の付勢片４３は、例えば開動作のうち、閉位置から中間位置に向かう過程では、上側部分及び下側部分の間隔が広がる方向に弾性変形し、蓋体４を閉位置に向けて付勢する。一方、付勢片４３は、開動作のうち、中間位置から開位置に向かう過程において、上側部分及び下側部分の間隔が狭まる方向に復元変形し、蓋体４を開位置に向けて付勢する。なお、付勢片４３は、開位置から閉位置に向かう閉動作時においても、上述した動作と同様の動作が行われる。
【００３０】
ここで、図５に示す閉位置において、第１ヒンジ体４１は、接続部５３が前後方向の中央部で折り曲げられ、各基部５１，５２がキャップ軸Ｏ方向で重なり合う。このとき、第１ヒンジ体４１の蓋体側基部５２のうち、周方向の外側に位置する角部に面取り部５５が形成されているため、閉位置において、ヒンジ部５の後端部に形成される角部を緩やかにすることができる。
【００３１】
特に、蓋体側基部５２における周方向の幅が本体側基部５１よりも広くなっているため、本体側基部５１が蓋体側基部５２に対して周方向に突出しないようになっている。そのため、仮に第１ヒンジ体４１の折り曲げ位置が位置ずれした場合であっても、ヒンジ部５の後端部に形成される角部が鋭利になるのを抑制できる。その結果、流通段階において製品が傷付いたり、使用段階において指等が引っ掛かったりするのを抑制できる。
また、各基部５１，５２のうち、蓋体側基部５２に面取り部５５が形成され、本体側基部５１が前後方向に沿って延設されているため、ヒンジキャップ１を成形する金型のうち、各基部５１，５２間を成形する部分を尖らせずにその幅を確保することができる。その結果、金型の強度を確保できる。
【００３２】
さらに、本実施形態では、接続部５３における周方向の外側端縁が、蓋体側基部５２における周方向の外側端縁に滑らかに連なっているため、仮に第１ヒンジ体の折り曲げ位置が接続部５３の範囲内で位置ずれした場合であっても、閉位置においてヒンジ部５の後端部に形成される角部が鋭利になるのを抑制できる。
また、面取り部５５が周方向の外側に向けて突の円弧状を呈しているので、閉位置においてヒンジ部５の後端部に形成される角部をより緩やかにすることができる。
【００３３】
また、周方向に間隔をあけて配設された一対の第１ヒンジ体４１間に第２ヒンジ体４２が配設されているため、操作性を向上させることができる。また、第１ヒンジ体４１及び第２ヒンジ体４２を設けることで、ヒンジ部５の周方向における幅が拡大し、この幅の拡大に伴いヒンジ部５の後方への突出量が増加するものの、本実施形態を採用することで、閉位置においてヒンジ部５の後端部に形成される角部を確実に緩やかにすることができる。
【００３４】
さらに、本実施形態では、蓋体側基部５２における周方向の幅が本体側基部５１に比べて広くなっているので、閉位置において、蓋体側基部５２が本体側基部５１を上方から覆うことになる。そのため、折り返しの段部（蓋体側基部５２の下面と本体側基部５１における周方向の外側端縁との間で画成される部分）が目立たず、見映えを向上させることができる。また、段部での引っ掛かりや、段部内への塵埃や汚れ等の進入も抑制できる。
【００３５】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、面取り部５５が円弧状を呈している場合について説明したが、これに限られない。すなわち、周方向の外側から内側に向かうに従い、後方に向けて延設されていれば傾斜面等であっても構わない。
また、上述した実施形態では、蓋体側基部５２において面取り部５５のみが周方向の外側から内側に向かうに従い、後方に向けて延設された構成について説明したが、これに限らず、蓋体側基部５２自体が周方向の外側から内側に向かうに従い、後方に向けて延設されていても構わない。
【００３６】
さらに、上述した実施形態では、ヒンジ部５が第１ヒンジ体４１及び第２ヒンジ体４２を有する構成について説明したが、これに限らず、少なくとも第１ヒンジ体４１を有していれば構わない。この場合、第１ヒンジ体４１は、単数であっても、３つ以上の複数であっても構わない。
また、上述した実施形態では、蓋体側基部５２が本体側基部５１に対して幅広とされた構成について説明したが、これとは逆に、本体側基部５１が蓋体側基部５２に対して幅広とされていても構わない。
【００３７】
また、上述した実施形態では、本体側基部５１における周方向の外側端縁が直線状とされた場合について説明したが、これに限られない。この場合、蓋体側基部５２の幅内で径方向に沿って延設されていれば、本体側基部５１の形状は、適宜設計変更が可能である。
さらに、上述した実施形態では、接続部５３が面取り部５５に滑らかに連なる構成としたが、これに限らず、接続部５３の形状は適宜設計変更が可能である。
【００３８】
その他、本発明の趣旨を逸脱しない範囲で、上述した実施形態における構成要素を周知の構成要素に置き換えることは適宜可能であり、また、前記変形例を適宜組み合わせてもよい。
【符号の説明】
【００３９】
１…ヒンジキャップ
２…キャップ本体
４…蓋体
４１…第１ヒンジ体
４２…第２ヒンジ体
５１…本体側基部（他方の基部）
５２…蓋体側基部（一方の基部）
５３…接続部
【図１】
0006446246.tif 000002
【図２】
0006446246.tif 000003
【図３】
0006446246.tif 000004
【図４】
0006446246.tif 000005
【図５】
0006446246.tif 000006